(57)【特許請求の範囲】
【請求項１】
自動車両（１）用の通信装置（２）を操作する方法であって、前記自動車両（１）の少なくとも１つの動作部品（４）の動作データが、前記自動車両（１）のインターフェース装置（３）により提供されるとともに前記自動車両（１）の内部（１０）に配置されたモバイル機器（８）に伝送され、前記動作データは前記モバイル機器（８）の表示装置（１１）に表示される方法において、
前記インターフェース装置（３）により、前記自動車両（１）が自律運転モードにおいて動作しているかどうかがチェックされ、前記自動車両（１）が自律運転モードで動作している場合、前記モバイル機器（８）が第１動作モードにおいて動作し、前記動作データは前記第１動作モードにおいてのみ前記表示装置（１１）に表示され、
前記表示装置（１１）の第１エリア（１２）が、前記モバイル機器（８）により予め決定され、前記動作データが前記第１の予め決定されたエリア（１２）に表示され、前記表示装置（１１）に提示された前記動作データは、前記自動車両（１）の自律運転モードを記載し、前記第１エリア（１２）とは異なる前記表示装置（１１）の第２エリア（１３）において、前記モバイル機器（８）の動作システムにより提供されるデータが表示される、
ことを特徴とする方法。
【請求項２】
マニュアル運転モードから自律運転モードへの移行時に、制御信号が前記インターフェース装置（３）から前記モバイル機器（８）へ送信され、制御信号の受信後、前記モバイル機器（８）は前記第１動作モードにおいて動作する、
ことを特徴とする請求項１に記載の方法。
【請求項３】
前記自動車両（１）の少なくとも１つのカメラ（６）により捕捉された、前記自動車両（１）の周囲環境の少なくとも１つの領域を表す画像シーケンスが、前記インターフェース装置（３）により提供され、前記表示装置（１１）により前記動作データとして表示される、
ことを特徴とする請求項１及び２のいずれか一項に記載の方法。
【請求項４】
前記自動車両（１）のナビゲーションシステム（５）のナビゲーションデータが、前記インターフェース装置（３）により提供され、前記表示装置（１１）により前記動作データとして表示される、
ことを特徴とする請求項１乃至３のいずれか一項に記載の方法。
【請求項５】
前記動作データは、前記インターフェース装置（３）から前記モバイル機器（８）に有線又は無線態様において伝送される、
ことを特徴とする請求項１乃至４のいずれか一項に記載の方法。
【請求項６】
前記第１動作モードは、前記自律運転モードから前記マニュアル運転モードへの移行時に終了し、そして前記モバイル機器（８）は第２動作モードにおいて動作する、
ことを特徴とする請求項２に記載の方法。
【請求項７】
請求項１乃至６のいずれか一項に記載の方法を実施することに適した、自動車両（１）用の通信装置（２）。
【請求項８】
請求項７に記載の通信装置（２）を有する自動車両（１）。
【発明の詳細な説明】
【技術分野】
【０００１】
本発明は、自動車両用の通信装置を操作するための方法であって、自動車両の少なくとも１つの動作部品の動作データが、自動車両のインターフェース装置により提供されるとともに自動車両の内部に配置されたモバイル機器に伝送され、動作データはモバイル機器の表示装置に表示される方法に関する。また、本発明は、自動車両用の通信装置に関する。最後に、本発明は、このような通信装置を有する自動車両に関する。
【背景技術】
【０００２】
近年、自動車両用の通信装置に関心が向けられている。このような通信装置は、自動車両のインターフェース装置とモバイル機器との間での通信又はデータ伝送（送受信）を可能とする。モバイル機器は、例えば携帯電話やポータブルコンピュータであり得る。モバイル機器が自動車両の内部にある場合、モバイル機器と車両のインターフェース装置とのデータ伝送が、例えば自動車両内のモバイル機器により再生可能であるように実施され得る。更に、自動車両の動作部品の動作データをモバイル機器において再生することも可能である。
【０００３】
これまでに、ＤＥ１０  ２０１１  １０１  ８０８Ａ１号が、車両においてユーザインターフェースを提供する方法を記載しており、本方法において、車両とモバイル再生機器との間の無線データ接続が確立される。モバイル再生機器は車両に取外し可能に接続されているか又は車両内のユーザに解放自在に保持されている。本例において、表示内容を生成するデータが車両から再生装置へ無線データ接続を介して伝送可能であるとともに、表示内容が伝送データに基づいて再生装置において生成可能である。本例において、前方を向いたカメラの画像を、例えばタブレットＰＣ等のモバイル再生機器において提示させることも可能である。
【０００４】
本発明の目的は、冒頭に述べたタイプの通信装置の機能範囲をいかにして拡大するかに関する解決策を示すことである。
【０００５】
本目的は、各独立請求項に記載の特徴を有する方法により、通信装置により、並びに自動車両により達成される。
【０００６】
本発明の有利な実施形態は、従属請求項の、発明の詳細な説明の、及び図面の主題である。
【０００７】
本発明による方法は、自動車両用の通信装置を操作する目的を果たす。本例において、自動車両の少なくとも１つの動作部品の動作データが、自動車両のインターフェース装置により提供されるとともに自動車両の内部に配置されたモバイル機器に伝送される。更に、動作データは、モバイル機器の表示装置に表示される。更にまた、自動車両が自律運転モードにおいて操作されているかどうかがインターフェース装置によりチェックされ、自動車両が自律運転モードにおいて操作されている場合、モバイル機器が第１動作モードで動作する。ここで、動作データは、第１動作モードにおいてのみ表示装置に表示される。
【０００８】
通信装置は、自動車両の一部であるインターフェース装置を有する。自動車両の動作部品の動作データは、インターフェース装置により獲得され提供され得る。このような動作部品は、例えば、ナビゲーションシステムやカメラ等であり得る。現在の運転状況、例えば現在の速度や現在の加速度等も、動作部品によって提供され得る。動作データは、動作部品からインターフェース装置に伝送され得る。インターフェース装置により、次いで、モバイル機器へのデータ接続が提供され得る。モバイル機器は、特に自動車両の内部に配置された携帯機器である。携帯機器は、自動車両に可逆的に取外し可能に配置され得る。モバイル機器は、例えば、携帯ラジオ装置や、ポータブルコンピュータ又はタブレットであり得る。モバイル機器はスクリーン形状の表示装置を有し、これに動作データが最適に提示され得る。
【０００９】
インターフェース装置により、自動車両が自律運転モードで動作しているかどうかをチェックすることができる。自律運転モードにおいて、自動車両は人間の運転者の影響を受けずに動作し得る。この場合、自動車両は、種々のセンサを用いて自動車両の周囲環境を捕捉することができるとともに、そこから当該自動車両の周囲領域において、他の通行車両や物体に対する当該自動車両の相対位置を特定することができる。対応するナビゲーションシステムとの協働において、運転目的地に向かうことができるとともに、衝突を回避しつつ車両がナビゲートされ得る。本例において、自動車両が種々の自動化レベルにおいて動作してもよい。自動車両が自律運転モードにおいて動作しているとインターフェース装置が認識した場合、モバイル機器は第１動作モードにおいて動作する。本例において、動作データは、第１動作モードにおいてのみ、モバイル機器の表示装置に提示される。換言すれば、自動車両が自律運転モードにある場合のみ、自動車両の動作部品の動作データは、モバイル機器の表示装置に提示される。したがって、自律運転モード中、自動車両の動作を表す動作データは、モバイル機器において運転者に提示され得る。このため、自動車両の運転者は、自動車両の動作について更に情報を得られる。
【００１０】
好適には、マニュアル運転モードから自律運転モードへの移行時に、制御信号がインターフェース装置からモバイル機器へ送信され、制御信号の受信後、モバイル機器は第１動作モードにおいて動作する。マニュアル運転モードにおいて、運転者は、特に、自動車両の長手方向案内及び横手方向案内を担っている。これは、運転者が自動車両を操縦しつつ、ブレーキペダルやアクセルを作動させるということを意味する。マニュアル運転モードから自律運転モードへの移行が生じたとき、制御信号がインターフェース装置からモバイル機器に送信される。こうして、モバイル機器は第１動作モードに移行し得る。この第１動作モードにおいて、動作データは、モバイル機器の表示装置に表示される。
【００１１】
一実施形態において、表示装置の第１エリアが、モバイル機器により予め決定されるとともに、動作データが第１の予め決定されたエリアに表示される。モバイル機器は、例えばプロセッサ等の、動作システムが動作する対応するコンピュータ装置を有し得る。このコンピュータ装置によって、動作データが提示される表示装置の第１エリアが決定され得る。このエリアは、例えば、表示装置の縁部エリアであり得る。このようにして、表示装置の表示は、コンピュータ装置によって動作データが自動車両の運転者に補足的に提示するのに適したものとされ得る。
【００１２】
更に、第１エリアとは異なる表示装置の第２エリアに、モバイル機器の動作システムにより提供されるデータが表示されると有利である。換言すれば、表示装置の第２エリアに、通常はモバイル機器により表示されるデータが表示される。したがって、運転者又はユーザは、モバイル機器も制御することができる。ここで、表示装置の第１及び／又は第２エリアの空間的寸法は、更にユーザにより適切なものとされ得る。これにより、自動車両の少なくとも１つの動作部品の情報が更にユーザに提供されている場合でも、ユーザがモバイル機器の制御も実施することが可能となる。
【００１３】
発展例において、自動車両の少なくとも１つのカメラにより捕捉された、自動車両の周囲環境の少なくとも１つの領域を示す映像シーケンスが、インターフェース装置により提供され、動作データとして表示装置に表示される。この場合、少なくとも１つの動作部品は、自動車両のカメラである。このカメラにより、自動車両の周囲環境を示す画像シーケンスすなわちビデオデータが提供され得る。本例において、ビデオデータは、自動車両に分散配置された複数のカメラによっても提供され得る。したがって、例えば、車両の周囲の全景を得ることが可能となる。このビデオデータは、例えば、インターフェース装置からモバイル機器にリアルタイムで伝送可能である。したがって、モバイル機器の制御中に、自動車両の周囲環境のビデオデータが運転者に提供され得る。
【００１４】
更なる発展例において、自動車両のナビゲーションシステムのナビゲーションデータが、動作データとしてインターフェース装置により提供され、表示装置に表示される。ナビゲーションシステムは、例えば、自動車両を出発地から目的地までナビゲートするように機能し得る。本例において、ナビゲーションデータは、目的地までの残りの距離、自動車両の現在地、及び／又は対応する運転指示を含み得る。こうして、ユーザ又は運転者は、更に道程について情報を得ることができる。
【００１５】
更なる実施形態において、表示装置に表示された動作データは、自動車両の自律運転モードを記載する。例えば、動作データは、自動車両が自律運転モードにおいて現在動作しているということを記載し得る。更に、自動車両がどの自動化レベルにおいて動作しているかが表示され得る。更に、現在の速度やエンジン速度等が、動作データとして運転者に表示され得る。
【００１６】
更に、動作データがインターフェース装置からモバイル機器に有線又は無線態様において伝送されると有利である。動作データは、例えば、インターフェース装置からモバイル機器に、対応するデータケーブルを用いて伝送され得る。これに代えて、動作データは、インターフェース装置からモバイル機器に無線で伝送され得る。
【００１７】
更なる実施形態において、第１動作モードは、自律運転モードからマニュアル運転モードへの移行時に終了し、そしてモバイル機器は第２動作モードにおいて動作する。自律運転モードからマニュアル運転モードへの移行が実施されると、モバイル機器は、第２動作モードにおいて動作し得る。この第２動作モードにおいて、動作データの表示装置での表示は影響されなくてもよい。また、第２動作モードにおいて、モバイル機器の対応する基本機能に関連する表示要素のみが運転者に提供され得る。したがって、マニュアル運転モードにおいて、運転者が運転状況から気を逸らさないことが保証され得る。
【００１８】
本発明による自動車両用の通信装置は、本発明による方法を実施することに適している。通信装置は、自動車両の一部であるインターフェース装置を有し得る。インターフェース装置は、自動車両の動作部品に、データ伝送を目的として接続され得る。更に、通信装置は、モバイル機器を含み得る。
【００１９】
本発明による自動車両は、本発明による通信装置を有する。自動車両は、特に、乗用車として形成される。自動車両は、更に、運転者支援システムを有してもよく、これにより、自動車両が自律的に動作し得る、すなわち自律運転モードにおいて動作し得る。
【００２０】
本発明による方法に関して提示される好適な実施形態及びその利点が、本発明による通信装置、並びに本発明による自動車両に同様に適用される。
【００２１】
本発明の更なる特徴が、請求項、図面、及び図面の説明から明らかになる。上述の特徴及び特徴の組合せ、並びに以下の図面の説明及び／又は図面に記載特徴及び特徴の組合せは、本発明の範囲を逸脱することなく、それぞれの特定された組み合わせにおいてだけでなく、他の組合せ、又は単独でも用いられ得る。したがって、図面や説明において明確に示されない実施例が、本発明に含まれ且つ開示されているとみなされ、説明した実施例とは別の特徴の組合せから生じ且つ生成され得る。独立請求項に当初から記載の特徴の全てを有さない実施例及び特徴の組合せも、開示されたものとみなされる。
【００２２】
本発明を、好適な実施形態に基づいて添付図面を参照しつつ更に詳細に説明する。
【図面の簡単な説明】
【００２３】
【図１】通信装置を有する、本発明の実施形態による自動車両の概略図。
【図２】自動車両の内部に配置された、通信装置のモバイル機器。
【図３】通信装置のモバイル機器。
【図４】通信装置を操作するための方法の概略フローチャート。
【図５】別の実施形態における図４による方法。
【発明を実施するための形態】
【００２４】
図面において、同一及び機能的に同一の要素には同じ参照符号が付される。
【００２５】
図１は、本発明の実施例による自動車両１を平面図において示す。自動車両１は、本実施形態において乗用車として形成されている。自動車両１は、通信装置２を有する。通信装置２は、同様に、インターフェース装置３を有する。インターフェース装置３は、自動車両１の少なくとも１つの動作部品４に、データ伝送を目的として接続される。本実施形態において、インターフェース装置３は、自動車両１の３つの動作部品４に、データ伝送を目的として接続される。
【００２６】
自動車両１は、図示しない運転者支援システムを更に有する。運転者支援システムは、自律運転モードにおいて、自動車両１の操作をする機能を果たす。自律運転モードにおいて、運転者支援システムは、操舵における介入、自動車両１の駆動エンジン及び／又はブレーキシステムの役割を果たす。更に、自律運転モードにおいて、自動車両１の周囲環境が、運転者支援システムのセンサにより捕捉され得るとともに、自動車両１は周囲の物体との衝突を防止しつつ動作し得る。自動車両１は、自動車両１の運転者がブレーキ並びにアクセルを操作するマニュアル運転モードにおいても動作し得る。
【００２７】
第１の動作部品４として、自動車両１はナビゲーションシステム５を有する。ナビゲーションシステム５により、出発地から目的地までの自動車両１のルートが決められ得る。ナビゲーションシステム５は、更に、衛星位置システムに接続され得る。第２の動作部品４として、自動車両１はカメラ６を有する。カメラ６により、自動車両１の周囲環境の画像シーケンス、すなわちビデオデータが捕捉され得る。第３の動作部品４として、自動車両１は運転制御ユニット７を有する。運転制御ユニット７により、例えば、自動車両１の現在の速度が獲得され得る。更に、運転制御ユニット７は、運転者支援システムに接続され得る。したがって、自動車両１をマニュアル運転モード又は自律運転モードにおいて動作させるかが、運転制御ユニット７により決定され得る。また、自動車両１をどの自動化レベルにおいて動作させるかが決定され得る。
【００２８】
自動車両１の動作部品４により提供される動作データは、各動作部品４からインターフェース装置３に伝送される。インターフェース装置３から、動作データはモバイル機器８に伝送され得る。モバイル機器８は、例えば、自動車両１の内部に配置された携帯電話又はタブレットである。インターフェース装置３とモバイル機器８との間で、データ接続９が提供される。データ接続は、有線でも無線でもよい。
【００２９】
図２は、モバイル機器８が例示的に配置された自動車両１の内部１０を示す。本実施形態において、モバイル機器８は、タブレットとして形成されている。モバイル機器８は、スクリーン形状の表示装置１１を有している。表示装置１１は、第１エリア１２と第２エリア１３とに分割される。第１エリア１２において、動作部品４により提供される動作データが表示され得る。第２エリア１３において、データがモバイル機器８の動作システムにより提供され得る。
【００３０】
図３は、モバイル機器８の詳細を示す図である。本例において、様々な動作データが運転者又はユーザに、第１エリア１２において提供されることが理解される。例えば、「ａｕｔｏ」という符号１４が、自動車両１が現在自律運転モードにおいて動作しているということを運転者に表示している。また、第１エリア１２において、自動車両１が自律運転モードにおいて既にどれだけの時間動作しているかを示す時間１５が表示されている。更に、運転者によりカメラ６からのビデオデータを検索するように制御可能なボタン１６が第１エリア１２において運転者に提供されている。また、第１エリア１２において符号１７に基づいて、自動車両１がどのレーンに現在位置しているかが運転者に表示されている。また、ナビゲーションデータ１８が提示されている。第２エリア１３において、モバイル機器８の動作システムにより提供されるコンテンツが提示される。このようなデータ又はコンテンツは、ウェブページ、ｅメールプログラム、画像データ又は動画データであり得る。したがって、自動車両１の自律運転モード中、運手者は、モバイル機器８を通常通り制御しつつ、且つ動作データに関する情報を得ることが可能となる。
【００３１】
図４は、本発明による通信装置２を操作するための方法の概略フローチャートである。ステップＳ１において、動作データが動作部品４からインターフェース装置３に伝送される。この動作データは、次いで、インターフェース装置３により提供される。ステップＳ２において、インターフェース装置３とモバイル機器８との間の通信接続が提供される。この通信接続は、有線又は無線態様において実施され得る。モバイル機器８は、インターフェース装置３に、データ伝送を目的として接続され得る。最後に、ステップＳ３において、制御信号が、インターフェース装置３からモバイル機器８に送信される。制御信号の受信後、モバイル機器８は、第１動作モードにおいて動作する。第１動作モードにおいて、動作データはモバイル機器８の表示装置１１に提示される。
【００３２】
図５は、別の実施形態における図４による方法を示す。本例では、ステップＳ４において、自動車両１は自律運転モードにおいて動作する。ステップＳ５において、動作データが提示されるべき表示装置１１の第１エリアが、モバイル機器８又はモバイル機器８のコンピュータ装置により決定される。ステップＳ６において、モバイル機器８は、制御装置３にデータ伝送を目的として接続される。ステップＳ７において、動作データは制御装置３からモバイル機器８に伝送される。最後に、ステップＳ８において、動作データは、表示装置１１の第１エリア１２に提示される。したがって、運転者は、モバイル機器８の制御において、動作部品４の動作状態又は自動車両１の動作状態に関する情報を更に得る、
【図１】
0006458160.tif 000002
【図２】
0006458160.tif 000003
【図３】
0006458160.tif 000004
【図４】
0006458160.tif 000005
【図５】
0006458160.tif 000006